(57)【要約】【課題】音声通信機能を停止させることなく発熱を抑制することができる中継装置が望まれていた。【解決手段】複数の通信装置の間に介在し、通信を中継するホームゲートウェイ装置１００であって、音声通話機能を有する通信機能部を含む複数の通信機能部と、複数の通信機能部の動作を制御する装置温度制御部７０と、当該ホームゲートウェイ装置１００の温度を検出する温度センサ１１と、を備え、装置温度制御部７０は、当該ホームゲートウェイ装置１００の温度が所定の閾値Ｘ℃を超える場合、複数の通信機能部のうち、音声通話機能を有する通信機能部以外の通信機能部の少なくとも１つの通信動作を停止又は消費電力を低減させるものである。【選択図】図１
2015195518.tif 000002
【特許請求の範囲】
【請求項１】
複数の通信装置の間に介在し、通信を中継する中継装置であって、
音声通話機能を有する通信機能部を含む複数の通信機能部と、
前記複数の通信機能部の動作を制御する制御部と、
当該中継装置の温度を検出する温度センサと、
を備え、
前記制御部は、
当該中継装置の温度が所定値を超える場合、
前記複数の通信機能部のうち、前記音声通話機能を有する通信機能部以外の前記通信機能部の少なくとも１つの、通信動作を停止又は消費電力を低減させる
ことを特徴とする中継装置。
【請求項２】
前記温度センサの異常の有無を検知する異常検知手段を、更に備え、
前記制御部は、
前記異常検知手段が前記温度センサの異常を検知しない場合、前記温度センサから当該中継装置の温度を取得する
ことを特徴とする請求項１に記載の中継装置。
【請求項３】
前記制御部は、
前記異常検知手段が前記温度センサの異常を検知した場合、
前記複数の通信機能部のうち、前記音声通話機能を有する通信機能部以外の前記通信機能部の少なくとも１つの、通信動作を停止又は消費電力を低減させる
ことを特徴とする請求項２に記載の中継装置。
【請求項４】
報知手段を、更に備え、
前記制御部は、
前記異常検知手段が前記温度センサの異常を検知した場合、前記報知手段により、前記温度センサが異常である旨を報知させる
ことを特徴とする請求項２または３に記載の中継装置。
【請求項５】
前記音声通話機能を有する通話機能部は、
ＩＰ電話端末と有線通信を行う有線通信部により構成され、
前記制御部は、
当該中継装置の温度が所定値を超える場合、前記有線通信部の通信速度を低下させる
ことを特徴とする請求項１〜４の何れか一項に記載の中継装置。
【請求項６】
前記音声通話機能を有する通話機能部は、
無線ＩＰ電話端末と無線通信を行う無線通信部により構成され、
前記制御部は、
当該中継装置の温度が所定値を超える場合、前記無線通信部の通信速度を低下させる
ことを特徴とする請求項１〜５の何れか一項に記載の中継装置。
【発明の詳細な説明】
【技術分野】
【０００１】
本発明は、複数の通信装置の間に介在して通信を中継する中継装置に関する。
【背景技術】
【０００２】
従来の技術においては、例えば、特開２０１３−１６１１７６号公報に開示された電気機器がある。この技術では、電気機器の動作中、温度センサによって計測される温度が基準温度と比較して所定の閾値以上高くなった場合に、当該電気機器の発熱を抑える制御を実行している。
【先行技術文献】
【特許文献】
【０００３】
【特許文献１】特開２０１３−１６１１７６号公報
【発明の概要】
【発明が解決しようとする課題】
【０００４】
しかしながら、上記特許文献１の技術のような温度制御方式を、音声通信機能を有する中継装置に適用すると、中継装置の温度が高い場合には音声通信機能が停止してしまう、という問題点がある。例えば、家庭内ネットワークと公衆回線網との間に介在する中継装置（以下、ホームゲートウェイ装置）では、ＩＰ（Internet Protocol）電話端末やアナログ電話端末等が収容される場合がある。このようなホームゲートウェイ装置において音声通信機能が停止してしまうと、家庭のライフラインともいえる音声通話サービスが提供できない、という問題点があった。
【０００５】
また、上記特許文献１の技術では、温度センサが物理的に故障した場合等の異常時に、ユーザに通知する手段がなく、ユーザに対して装置交換を促すことができない、という問題点があった。さらに、温度センサの異常時には温度を誤検知して、発熱を抑制する制御を行うことができない、という問題点があった。
【０００６】
したがって、音声通信機能を停止させることなく発熱を抑制することができる中継装置が望まれていた。
【課題を解決するための手段】
【０００７】
本発明に係る中継装置は、複数の通信装置の間に介在し、通信を中継する中継装置であって、音声通話機能を有する通信機能部を含む複数の通信機能部と、前記複数の通信機能部の動作を制御する制御部と、当該中継装置の温度を検出する温度センサと、を備え、前記制御部は、当該中継装置の温度が所定値を超える場合、前記複数の通信機能部のうち、前記音声通話機能を有する通信機能部以外の前記通信機能部の少なくとも１つの、通信動作を停止又は消費電力を低減させるものである。
【発明の効果】
【０００８】
本発明は、当該中継装置の温度が所定値を超える場合、音声通話機能を有する通信機能部以外の通信機能部の通信動作を停止又は消費電力を低減させる。このため、音声通信機能を停止させることなく発熱を抑制することができる。
【図面の簡単な説明】
【０００９】
【図１】実施の形態１におけるホームゲートウェイ装置の構成図である。
【図２】実施の形態１におけるホームゲートウェイ装置の動作を示すフローチャートである。
【図３】実施の形態２におけるホームゲートウェイ装置の構成図である。
【発明を実施するための形態】
【００１０】
実施の形態１．
図１は、実施の形態１におけるホームゲートウェイ装置の構成図である。
実施の形態１におけるホームゲートウェイ装置１００は、少なくとも音声通話機能を含む複数の通信機能を有し、複数の通信装置の間の通信を中継するものである。
なお、ホームゲートウェイ装置１００は、本発明における「中継装置」に相当する。
【００１１】
本実施の形態１におけるホームゲートウェイ装置１００では、以下の４つの機能を有する構成を例に説明する。なお、本発明はこれに限定されず、音声通話機能を有する通信機能部を少なくとも１つ備えた構成であれば良い。
［機能１］アナログ電話ＩＦ４１に接続されたアナログ電話端末３００に対する音声通話機能
［機能２］有線ＬＡＮ＿ＩＦ５１に接続されたＩＰ電話端末４００に対する音声通話機能
［機能３］有線ＬＡＮ＿ＩＦ５１に接続されたＰＣ端末５００に対するインターネット通信機能
［機能４］ＬＥＤ２１によるホームゲートウェイ装置１００の状態をユーザに通知する機能
【００１２】
以下、図１を参照して、各機能部の構成を説明する。
温度センサ１１は、当該ホームゲートウェイ装置１００の温度を検出する。温度センサ１１は、例えば、サーミスタや赤外線センサなどの任意のセンサによって構成される。温度センサ１１は、例えば、ホームゲートウェイ装置１００内の回路基板の温度、又は筐体内の雰囲気（空気）温度などを検出する。
温度センサ制御部１０は、温度センサ１１のドライバである。温度センサ制御部１０は、装置温度制御部７０からの温度取得要求や温度センサ死活監視要求を受けて、温度センサ１１にアクセスし、取得したデータを装置温度制御部７０へ伝達する。詳細は後述する。
なお、温度センサ制御部１０は、本発明における「異常検知手段」に相当する。
【００１３】
ＬＥＤ（Light Emitting Diode）２１は、ユーザが視認可能な位置に配置されている。ＬＥＤ２１は、点灯又は消灯することでユーザに対してホームゲートウェイ装置１００の動作状態を報知する。本実施の形態１においては、ユーザへ報知する動作状態に応じて、ＬＥＤ２１を複数設けている。例えば、装置異常をユーザに伝えるためのアラームＬＥＤ、音声通話機能動作中を表す音声通話ＬＥＤ、有線ＷＡＮ＿ＩＦ５２接続中を表すＷＡＮＬＥＤ等がある。
ＬＥＤ制御部２０は、ＬＥＤ２１のドライバである。ＬＥＤ制御部２０は、［機能４］を実現するために、装置温度制御部７０からのＬＥＤ点灯／消灯要求を受けて、ＬＥＤ２１の点灯／消灯処理を実行し、ホームゲートウェイ装置１００の状態をユーザへ通信する。
【００１４】
なお、ＬＥＤ２１は、本発明における「報知手段」に相当する。
なお、報知手段は、ＬＥＤに限らず、例えばランプ、液晶ディスプレイ等の任意の構成を用いてもよい。また表示に限らず、スピーカーやブザーなどからの音による報知でも良い。
【００１５】
無線ＬＡＮ＿ＩＦ３１は、無線ＬＡＮ（Local Area Network）規格に適合した通信インターフェースである。無線ＬＡＮ＿ＩＦ３１には、無線ＰＣ（Personal Computer）端末２００が無線接続される。
無線通信制御部３０は、無線ＬＡＮ＿ＩＦ３１のドライバである。無線通信制御部３０は、装置温度制御部７０からの無線有効／無効要求をうけて、無線ＬＡＮ＿ＩＦ３１の有効／無効を制御し、消費電力及び基盤温度の低減を図る。
【００１６】
なお、無線ＬＡＮ＿ＩＦ３１は、本発明における「音声通話機能を有する通信機能部以外の通信機能部」、「無線通信部」に相当する。
【００１７】
アナログ電話ＩＦ４１は、アナログ回線の通信に適合した通信インターフェースである。アナログ電話ＩＦ４１には、アナログ電話端末３００が有線接続される。
アナログ電話制御部４０は、アナログ電話ＩＦ４１のドライバである。アナログ電話制御部４０は、アナログ電話ＩＦ４１に接続されたアナログ電話端末３００の音声通話イベント／音声データを処理し、通話制御部６０に伝達する。
【００１８】
なお、アナログ電話ＩＦ４１は、本発明における「音声通話機能を有する通信機能部」に相当する。
【００１９】
有線ＬＡＮ＿ＩＦ５１は、有線ＬＡＮ規格に適合した通信インターフェースである。有線ＬＡＮ＿ＩＦ５１には、ＩＰ電話端末４００とＰＣ端末５００とが有線接続される。
有線ＷＡＮ＿ＩＦ５２は、有線ＷＡＮ（Wide Area Network）規格に適合した通信インターフェースである。有線ＷＡＮ＿ＩＦ５２は、網側ＮＷ（Network）６００が接続される。
有線通信制御部５０は、有線ＬＡＮ＿ＩＦ５１及び有線ＷＡＮ＿ＩＦ５２のドライバである。有線通信制御部５０は、［機能３］を実現するために、有線ＬＡＮ＿ＩＦ５１に接続されたＩＰ電話端末４００及びＰＣ端末５００とパケットデータを送受信する。有線通信制御部５０は、有線ＷＡＮ＿ＩＦ５２によって接続した網側ＮＷ６００とパケットデータを送受信する。
さらに、有線通信制御部５０は、装置温度制御部７０からのリンク速度変更要求を受けて、有線ＬＡＮ＿ＩＦ５１及び有線ＷＡＮ＿ＩＦ５２のポートのリンク速度を変更する。詳細は後述する。
【００２０】
なお、有線ＬＡＮ＿ＩＦ５１は、本発明における「音声通話機能を有する通信機能部」、「有線通信部」に相当する。
また、有線ＷＡＮ＿ＩＦ５２は、本発明における「音声通話機能を有する通信機能部以外の通信機能部」に相当する。
【００２１】
通話制御部６０は、［機能１］及び［機能２］を実現するために、アナログ電話端末３００、ＩＰ電話端末４００、及び網側ＮＷ６００から入ってくる音声通話イベントを処理し、音声データを送受信するために、呼を確立する。
【００２２】
装置温度制御部７０は、温度センサ制御部１０を定期的にチェックし、異常がないかを確認する。また、装置温度制御部７０は、後述する動作により、ホームゲートウェイ装置１００の動作モードを、「通常運用モード」又は「低消費電力モード」の何れかに切り替える。
装置温度制御部７０は、上記のモード切り替えを実現するため、以下を発行する。
・無線通信制御部３０に対し、無線ＬＡＮ＿ＩＦ３１の有効・無効要求を発行する。
・有線通信制御部５０に対し、有線ＬＡＮ＿ＩＦ５１のリンク速度アップ・ダウン要求を発行する。
・ＬＥＤ制御部２０に対し、ＬＥＤ点灯・消灯要求を発行する。
【００２３】
なお、装置温度制御部７０は、本発明における「制御部」に相当する。
なお、装置温度制御部７０は、この機能を実現する回路デバイスなどのハードウェアで実現することもできるし、マイコンやＣＰＵなどの演算装置上で実行されるソフトウェアとして実現することもできる。
【００２４】
次に、音声通信機能を停止させることなく発熱を抑制するホームゲートウェイ装置１００の動作を説明する。
なお、以下の動作説明では、図１に示したように、ホームゲートウェイ装置１００の有線ＬＡＮ＿ＩＦ５１にＩＰ電話端末４００及びＰＣ端末５００を収容しており、またアナログ電話ＩＦ４１にアナログ電話端末３００を収容しており、さらに無線ＬＡＮ＿ＩＦ３１に無線ＰＣ端末２００を収容しており、有線ＷＡＮ＿ＩＦ５２は網側ＮＷ６００に接続している場合を例に説明する。
【００２５】
図２は、実施の形態１におけるホームゲートウェイ装置の動作を示すフローチャートである。以下、図２の各ステップに基づき説明する。
ホームゲートウェイ装置１００が起動すると（Ｓ１０１）、装置温度制御部７０は、動作モードを「通常運用モード」に遷移させる（Ｓ１０２）。
ここで、「通常運用モード」とは、全ての通信機能部を有効状態にする動作モードである。また、音声通話機能を有する通信機能部の通信速度を制限しない動作モードである。
例えば図１に示した構成においては、以下の動作状態である。
・無線ＬＡＮ＿ＩＦ３１を有効状態にする。
・アナログ電話ＩＦ４１を有効状態にする。
・有線ＬＡＮ＿ＩＦ５１を有効状態、かつリンク速度アップ状態（例：１Ｇ全二重）にする。
・有線ＷＡＮ＿ＩＦ６１を有効状態にする。
・ＬＥＤ２１を装置状態に応じて点灯状態にする。
【００２６】
装置温度制御部７０は、この通常運用モードによる動作中に、定期的に、「温度センサ異常チェック」を行う（Ｓ１０３）。
ここで、「温度センサ異常チェック」とは、装置温度制御部７０から温度センサ制御部１０に対して温度センサ死活監視要求を送り、温度センサ制御部１０が温度センサ１１にアクセスして異常の有無を検出して、その結果を装置温度制御部７０へ送る動作である。
【００２７】
次に、装置温度制御部７０は、温度センサ１１の異常の有無を判定し（Ｓ１０４）、異常がある場合には、動作モードを「低消費電力モード」に遷移させる（Ｓ１０７）。
ここで、「低消費電力モード」とは、音声通話機能を有する通信機能部以外の通信機能部の少なくとも１つを、無効状態（通信動作の停止状態）にする動作モードである。音声通話機能を有する通信機能部の通信速度を制限する動作モードである。
【００２８】
例えば図１に示した構成においては、以下の動作状態である。
・無線ＬＡＮ＿ＩＦ３１を無効状態にする。
・有線ＬＡＮ＿ＩＦ５１を有効状態、かつリンク速度ダウン状態（例：１００半二重）にする。
・有線ＷＡＮ＿ＩＦ６１を無効状態にする。
・ＬＥＤ２１のうち、アラームＬＥＤの点灯を装置状態に応じて点灯又は消灯状態にする。
・ＬＥＤ２１のうち、アラームＬＥＤ以外の全てを消灯状態にする。
なお、アナログ電話ＩＦ４１は有効状態のままである。
【００２９】
このように、「低消費電力モード」では、アナログ電話ＩＦ４１及び有線ＬＡＮ＿ＩＦ５１の通信機能は停止しない。即ち、「低消費電力モード」では、音声通話機能は停止しない。
なお、一般的に、無線通信が高速になればなるほど、無線チップ等のハードウェアの発熱量が増加するため、無線通信機能の無効化は、発熱の抑制に有効な方法と言える。
なお、有線通信についても同様に、有線通信機能の無効化及びリンク速度の低下は、発熱の抑制に有効な方法と言える。なお、一般的に、有線機能の無効化よりも無線機能の無効化の方が発熱の抑制効果が顕著である。
【００３０】
なお、上記の説明では、無線ＬＡＮ＿ＩＦ３１及び有線ＷＡＮ＿ＩＦ６１を無効状態にしたが、本発明はこれに限らず、無線ＬＡＮ＿ＩＦ３１の消費電力を低減させるように動作させても良い。また、無線ＬＡＮ＿ＩＦ３１及び有線ＷＡＮ＿ＩＦ６１の一方のみを無効状態にさせ、他方を有効状態のままとしても良い。
つまり、複数の通信機能部のうち、音声通話機能を有する通信機能部以外の通信機能部の少なくとも１つの、通信動作を停止又は消費電力を低減させる動作であればよい。
【００３１】
次に、装置温度制御部７０は、アラームＬＥＤを点灯させ（Ｓ１０８）、そのまま低消費電力モードを継続する（Ｓ１０９）。
【００３２】
ステップＳ１０４の判断において、温度センサ１１の異常がない場合には、装置温度制御部７０は、温度センサ１１の「温度取得」を実施する（Ｓ１０５）。この「温度取得」において、装置温度制御部７０は、温度センサ制御部１０へ温度取得要求を送り、温度センサ制御部１０から温度センサ１１の検出値を取得する。
【００３３】
装置温度制御部７０は、取得温度が所定の閾値Ｘ℃を超えるか否かを判断する（Ｓ１０６）。
取得温度が閾値Ｘ℃を超えない場合、装置温度制御部７０は、ステップＳ１０２に戻り、通常運用モードを継続する。
【００３４】
一方、ステップＳ１０６の判断において、取得温度が閾値Ｘ℃を超えた場合、装置温度制御部７０は、動作モードを「低消費電力モード」に遷移させ、発熱を抑制させる（Ｓ１１０）。なお、この「低消費電力モード」の動作状態は、ステップＳ１０７と同様である。
装置温度制御部７０は、この低消費電力モードによる動作中に、定期的に、「温度センサ異常チェック」を行う（Ｓ１１１）。この「温度センサ異常チェック」の動作は、ステップＳ１０３と同様である。
【００３５】
次に、装置温度制御部７０は、温度センサ１１の異常の有無を判定し（Ｓ１１２）、異常がある場合には、ステップＳ１０７へ進み、上述したステップＳ１０７〜Ｓ１０９を実施する。
一方、温度センサ１１の異常がない場合には、装置温度制御部７０は、温度センサ１１の「温度取得」を実施する（Ｓ１１３）。この「温度取得」の動作は、ステップＳ１０５と同様である。
装置温度制御部７０は、取得温度が第２の閾値Ｙ℃より低いか否かを判断する（Ｓ１１４）。この第２の閾値Ｙ℃は、所定の閾値Ｘ℃よりも低い温度である。
取得温度が第２の閾値Ｙ℃より低くない場合、装置温度制御部７０は、ステップＳ１１０に戻り、低消費電力モードを継続する。
【００３６】
一方、取得した温度が第２の閾値Ｙ℃より低い場合、装置温度制御部７０は、ステップＳ１０２に戻り、通常運用モードに遷移する。
【００３７】
以上のように本実施の形態１においては、当該ホームゲートウェイ装置１００の温度が所定の閾値Ｘ℃を超える場合、複数の通信機能部のうち、音声通話機能を有する通信機能部以外の通信機能部の少なくとも１つの、通信動作を停止又は消費電力を低減させる。
このため、音声通信機能を停止させることなく発熱を抑制することができる。
【００３８】
また本実施の形態１においては、当該ホームゲートウェイ装置１００の温度が所定の閾値Ｘ℃を超える場合、有線ＬＡＮ＿ＩＦ５１を有効状態かつリンク速度ダウン状態にする。
このため、音声通話機能を有する通話機能部における消費電力を低減でき、音声通信機能を停止させることなく発熱を抑制することができる。
【００３９】
また本実施の形態１においては、温度センサ制御部１０が温度センサ１１の異常を検知した場合、ＬＥＤ２１により、温度センサ１１が異常である旨を報知させる。
このため、温度センサ１１が物理的に故障した場合等の異常時に、ユーザに対して装置交換を促すことができる。
【００４０】
また本実施の形態１においては、温度センサ制御部１０が温度センサ１１の異常を検知した場合、複数の通信機能部のうち、音声通話機能を有する通信機能部以外の通信機能部の少なくとも１つの通信動作を停止又は消費電力を低減させる。
このため、温度センサ１１の異常時に温度を正しく検出できない場合であっても、ホームゲートウェイ装置１００発熱を抑制する制御を行うことができる。
【００４１】
実施の形態２．
本実施の形態２では実施の形態１との相違点を中心に説明し、実施の形態１と同一の構成には同一の符号を付して説明を省略する。
【００４２】
図３は、実施の形態２におけるホームゲートウェイ装置の構成図である。
図３に示すように、本実施の形態２における無線ＬＡＮ＿ＩＦ３１には、無線ＩＰ端末７００が無線接続される。
通話制御部６０は、無線ＬＡＮ＿ＩＦ３１に接続された無線ＩＰ端末７００に対する音声通話機能を実現するために、無線ＩＰ端末７００から入ってくる音声通話イベントを処理し、音声データを送受信するために、呼を確立する。
装置温度制御部７０は、モード切り替えを実現するため、無線通信制御部３０に対し、無線ＬＡＮ＿ＩＦ３１のリンク速度アップ・ダウン要求を発行する。
【００４３】
次に、本実施の形態２におけるホームゲートウェイ装置１００の動作を、上記実施の形態１との相違点について説明する。
【００４４】
本実施の形態２においては、「通常運用モード」及び「低消費電力モード」における無線ＬＡＮ＿ＩＦ３１の状態が異なる。
即ち、「通常運用モード」において、装置温度制御部７０は、無線ＬＡＮ＿ＩＦ３１を有効状態、かつリンク速度アップ状態（例：１Ｇ全二重）にする。
一方、「低消費電力モード」において、装置温度制御部７０は、無線ＬＡＮ＿ＩＦ３１を有効状態、かつリンク速度ダウン状態（例：１００半二重）にする。
その他の機能部の動作は上記実施の形態１と同様である。
【００４５】
このように、「低消費電力モード」では、無線ＬＡＮ＿ＩＦ３１の通信機能は停止しない。即ち、「低消費電力モード」では、無線ＩＰ端末７００による音声通話機能は停止しない。
【００４６】
以上のように本実施の形態２においても、上記実施の形態１と同様の効果を得ることができる。
また本実施の形態２においては、当該ホームゲートウェイ装置１００の温度が所定の閾値Ｘ℃を超える場合、無線ＬＡＮ＿ＩＦ３１を有効状態かつリンク速度ダウン状態にする。
このため、音声通話機能を有する通話機能部における消費電力を低減でき、音声通信機能を停止させることなく発熱を抑制することができる。
【００４７】
なお、上記実施の形態１及び２では、装置温度制御部７０から温度センサ制御部１０に対して、「定周期」に温度センサ１１の異常チェックをするとしたが、温度センサ１１自体がハード異常を検出し、通知する機能を有するならば、異常発生時、即座に「低消費電力モード」に遷移できるよう温度センサ制御部１０から装置温度制御部７０に通知する方式であってもよい。
【００４８】
また、上記実施の形態１及び２では、アラームＬＥＤ点灯によって「温度センサ異常」をユーザに通知するとしたが、収容しているアナログ電話端末３００やＩＰ電話端末４００に着信させ、ホームゲートウェイ装置１００から音声ガイダンスを流す方式であってもよい。
【００４９】
また、上記実施の形態１及び２では、アラームＬＥＤ点灯によって「温度センサ異常」をユーザに通知するとしたが、ホームゲートウェイ装置１００が設定用ＷｅｂＧＵＩを有する場合、そこに表示される障害ログに、「温度センサ異常」を記載する方式であっても良い。
【符号の説明】
【００５０】
１０  温度センサ制御部、１１  温度センサ、２０  ＬＥＤ制御部、２１  ＬＥＤ、３０  無線通信制御部、３１  無線ＬＡＮ＿ＩＦ、４０  アナログ電話制御部、４１  アナログ電話ＩＦ、５０  有線通信制御部、５１  有線ＬＡＮ＿ＩＦ、５２  有線ＷＡＮ＿ＩＦ、６０  通話制御部、７０  装置温度制御部、１００  ホームゲートウェイ装置、２００  無線ＰＣ端末、３００  アナログ電話端末、４００  ＩＰ電話端末、５００  ＰＣ端末、６００  網側ＮＷ、７００  無線ＩＰ電話端末。
【図１】
2015195518.tif 000003
【図２】
2015195518.tif 000004
【図３】
2015195518.tif 000005